(57)【要約】【課題】本発明は、携帯端末と、それと交信する電子機器と、この電子機器を搭載した移動装置に関するもので、使い勝手を向上することを目的とするものである。  【解決手段】そしてこの目的を達成するために本発明は、探そうとする携帯端末９に、例えば他の携帯端末１０からメモリ１７内に格納された置き忘れ確認ＩＤ付の置忘れ確認メールを送信すると、それをメール受信手段１４が受信し、次に、無線通信手段１２により、前記置き忘れ確認ＩＤに関連付けた電子機器６との交信を行い、その後、この電子機器６との交信結果を、メール送信手段１５により、上記他の携帯端末１０に返信する構成とした。【選択図】図１
2014147004.tif 000002
【特許請求の範囲】
【請求項１】
第１の無線通信手段と、この第１の無線通信手段に接続された第１の制御部と、この第１の制御部に接続されたメール受信手段、メール送信手段、および表示部とを備え、前記第１の制御部に、置き忘れ確認ＩＤを登録する第１のメモリを接続するとともに、前記第１の制御部は、前記メール受信手段が、前記第１のメモリ内に格納された置き忘れ確認ＩＤ付の置忘れ確認メールを受信すると、前記第１の無線通信手段により、前記置き忘れ確認ＩＤに関連付けた電子機器との交信をし、この電子機器との交信結果を、前記メール送信手段により、返信する構成とした携帯端末。
【請求項２】
第１の制御部には、タイマーを接続し、このタイマーのタイマー時間内に、第１の無線通信手段によって、前記置き忘れ確認ＩＤに関連付けた電子機器との交信が出来た場合、前記メール送信手段により、前記置き忘れ確認ＩＤに関連付けた電子機器名、またはこの電子機器を設置した場所名を返信する構成とした請求項１に記載の携帯端末。
【請求項３】
第１の制御部には、タイマーを接続し、このタイマーのタイマー時間内に、第１の無線通信手段によって、前記置き忘れ確認ＩＤに関連付けた電子機器との交信が出来なかった場合、前記メール送信手段により所在不明メールを返送する構成とした請求項１または２に記載の携帯端末。
【請求項４】
請求項１から３のいずれか一つに記載の携帯端末と交信する電子機器であって、携帯端末の第１の無線通信手段と交信する第２の無線通信手段と、この第２の無線通信手段に接続された第２の制御部と、この第２の制御部に接続されるとともに、この電子機器を特定するＩＤが登録される第２のメモリとを備え、前記第２の制御部は、携帯端末から、その第１の無線通信手段を介して置き忘れ確認通信を受信した場合、第２のメモリ内のＩＤを、第２の無線通信手段を介して、携帯端末の第１の無線通信手段に返信する構成とした電子機器。
【請求項５】
請求項４に記載の電子機器を搭載した移動装置。
【発明の詳細な説明】
【技術分野】
【０００１】
本発明は、例えば、携帯端末と、それと交信する電子機器と、この電子機器を搭載した移動装置に関するものである。
【背景技術】
【０００２】
携帯端末は、持ち運びできるので、緊急用件でもタイムリーに伝達することが出来、極めて利便性の高いものとなる。
【０００３】
しかしその反面、緊急用件を伝えようとする者にとしては、相手方が直ちに反応を示さないときには、苛立ちを持つことも多い。
【０００４】
例えば、相手方が携帯端末を所持していない場合であれば、第三者が、いくら連絡を取ろうとしても、それが相手方には伝わらず、このような状況に至ることも多い。
【０００５】
そこで、相手方が携帯端末を保持しているか、否かの確認をするために、各携帯端末に、不所持通知アプリケーションを持たせるものが提案されている（これに類似する先行文献としては、例えば下記特許文献１が存在する）。
【０００６】
すなわち、各人が所有する携帯端末にこの不所持通知アプリケーションを持たせておけば、各人が、所定時間内に、例えばキーに一度も触らなければ、このときには不所持状態にあると判断する。
【０００７】
そして、この状態で、第三者からの連絡があった場合には、その不所持状態の携帯端末から、連絡を取ろうとした第三者の携帯電話に、不所持状態であることを知らせるメッセージを送信する構成としたものである。
【先行技術文献】
【特許文献】
【０００８】
【特許文献１】特開２０１１−１９９５５２号公報
【発明の概要】
【発明が解決しようとする課題】
【０００９】
上記従来例では、連絡を取ろうとする相手方が不所持状態であることは理解できるが、その携帯端末がどこに存在するかまでは理解できない。
【００１０】
すなわち、不所持状態が単なる不所持であれば、この従来例でも対応できるのであるが、例えば、自分の携帯端末をどこに置き忘れたかが不明な場合、それを探すことは出来ない。
【００１１】
これに対して、携帯端末のＧＰＳ機能を利用して、その携帯端末がどこにあるかを探すこともできる。
【００１２】
しかしながら、それが出来るのは携帯端末がＧＰＳ機能を使える場所に存在している場合のみであって、例えば、自動車の車内に携帯端末を置き忘れた場合には、ＧＰＳ機能による探索機能を働かせることが出来ないこともある。この場合には、置き忘れた携帯端末を探すことが出来ず、不便なものとなる。
【００１３】
そこで、本発明は、置き忘れ時などに携帯端末を探しやすくすることで、使い勝手を向上させることを目的とするものである。
【課題を解決するための手段】
【００１４】
そしてこの目的を達成するために本発明の携帯端末は、第１の無線通信手段と、この第１の無線通信手段に接続された第１の制御部と、この第１の制御部に接続されたメール受信手段、メール送信手段、および表示部とを備え、前記第１の制御部に、置き忘れ確認ＩＤを登録する第１のメモリを接続するとともに、前記第１の制御部は、前記メール受信手段が、前記第１のメモリ内に格納された置き忘れ確認ＩＤ付の置忘れ確認メールを受信すると、前記第１の無線通信手段により、前記置き忘れ確認ＩＤに関連付けた電子機器との交信をし、この電子機器との交信結果を、前記メール送信手段により、返信する構成とし、これにより所期の目的を達成するものである。
【発明の効果】
【００１５】
以上のように本発明の携帯端末は、第１の無線通信手段と、この第１の無線通信手段に接続された第１の制御部と、この第１の制御部に接続されたメール受信手段、メール送信手段、および表示部とを備え、前記第１の制御部に、置き忘れ確認ＩＤを登録する第１のメモリを接続するとともに、前記第１の制御部は、前記メール受信手段が、前記第１のメモリ内に格納された置き忘れ確認ＩＤ付の置忘れ確認メールを受信すると、前記第１の無線通信手段により、前記置き忘れ確認ＩＤに関連付けた電子機器との交信をし、この電子機器との交信結果を、前記メール送信手段により、返信する構成としたので、置き忘れ時などに携帯端末を探しやすくなり、使い勝手が向上するものとなる。
【００１６】
すなわち、本発明においては、探そうとする携帯端末に、例えば他の携帯端末から第１のメモリ内に格納された置き忘れ確認ＩＤ付の置忘れ確認メールを送信すると、それをメール受信手段が受信し、次に、第１の無線通信手段により、前記置き忘れ確認ＩＤに関連付けた電子機器との交信を行い、その後、この電子機器との交信結果を、前記メール送信手段により、上記他の携帯端末に返信する構成としたので、探している携帯端末が、何れの電子機器、つまりどこに置き忘れたのかが確認できることとなり、携帯端末を探しやすく、使い勝手が向上するのである。
【図面の簡単な説明】
【００１７】
【図１】本発明の一実施形態にかかる携帯端末を自動車の車内に置き忘れた状態を示す図
【図２】同、制御ブロック図
【図３】同、携帯端末を探す状態を説明する図
【図４】同、携帯端末を探す状態を説明する図
【図５】同、携帯端末を探す状態を説明する図
【図６】同、動作フローチャート
【発明を実施するための形態】
【００１８】
以下、本発明の一実施形態を、添付図面を用いて説明する。
【００１９】
（実施の形態１）
図１において、符号１は移動装置の一例として用いた自動車で、その車内２の前方には、運転席３、助手席４が設けられている。
【００２０】
また、運転席３の前方にはハンドル５が設けられ、さらにハンドル５の側方には電子機器６が配置されている。
【００２１】
この電子機器６は音楽や映像の再生を行うことが出来るもので、バッテリー７から電源供給を受けている。
【００２２】
なお、この図１の状態では、バッテリー７は駐車場にて、電源コンセント８を介して充電を行っている状態を示している。
【００２３】
また、その状態で、車内２の助手席４上には携帯端末９が置き忘れられた状態となっている。
【００２４】
さらに、この図１では、他の携帯端末１０を用いて、置き忘れた携帯端末９がどこに存在しているか否かの確認を行っている状態を示している。
【００２５】
本実施形態の特徴は、他の携帯端末１０を用いて、置き忘れた携帯端末９がどこに存在しているか否かの確認を行えることであり、以下に、この点を詳細に説明する。
【００２６】
図２に示すように、携帯端末９、１０は、電話を行うための通信手段１１と、近距離通信を行うための無線通信手段１２と、これらの通信手段１１、無線通信手段１２に接続された制御部１３と、この制御部１３に接続されたメール受信手段１４、メール送信手段１５、タイマー１６、メモリ１７および表示部１８とを備えている。
【００２７】
前記メモリ１７は、各動作を制御するプログラムや、置き忘れ確認ＩＤが格納されている。
【００２８】
例えば、車内２に携帯端末９を忘れる可能性が有るときには、この電子機器６の置き忘れ確認ＩＤが、メモリ１７に登録されているのである。
【００２９】
また、電子機器６も携帯端末９の無線通信手段１２と近距離通信を行うための無線通信手段１９と、この無線通信手段１９に接続された制御部２０と、この制御部２０に接続されたメモリ２１とを有し、前記メモリ２１内には、その動作を制御するプログラムや、置き忘れ確認ＩＤが格納されている。
【００３０】
なお、電子機器６は、その他、音楽や映像の再生機構を有しているが、その部分は一般的なものであるので、説明の煩雑化を避けるために、省略している。
【００３１】
以上の構成において、図１のごとく、携帯端末９の置き忘れ場所を探すためには、先ずは、図１の携帯端末１０から、図３に示すメールを携帯端末９に送信する（図６のＳ１）。
【００３２】
図３に示すメールには、携帯端末９のメールアドレスと、この携帯端末９が保有する置忘れ確認アプリを起動するためのコードが記載されている。
【００３３】
なお、コードには、置き忘れた可能性のある場所に存在する電子機器６の置き忘れ確認ＩＤも記録されている。
【００３４】
つまり、図１の状態では、車内２内に携帯端末９を置き忘れたのではないかと、確認を行っている状態である。
【００３５】
携帯端末９は常時待ちうけ状態（図６のＳ２）にあるので、携帯端末１０からのメールをメール受信手段１４が受信すると（図６のＳ３）、制御部１３は置忘れ確認アプリを起動するとともに、タイマー１６も起動する（図６のＳ４、Ｓ５、Ｓ６）。
【００３６】
つまり、制御部１３は受信した置き忘れ確認ＩＤと、メモリ１７内に格納している置き忘れ確認ＩＤを照合し、それに合致する電子機器６に対して無線通信手段１２を介して通信を行うことになる（図６のＳ７）。
【００３７】
つまり、制御部１３は電子機器６との間で近距離通信が行えるか、否かを実行するのである。
【００３８】
ただし、この確認はタイマー１６によって設定された時間内だけ行われるようにしており（図６のＳ８）、このタイマー時間内に電子機器６からの返信があれば（図６のＳ９）、制御部１３は、そのメール送信手段１５から携帯端末１０に対して図４に示すメールを返信する（図６のＳ１０、Ｓ１１、Ｓ１２）。
【００３９】
つまり、電子機器６の制御部２０は、無線通信手段１９を介して置き忘れ確認ＩＤを受信すると、置忘れ確認アプリを起動し、メモリ２１に格納した置き忘れ確認ＩＤを、無線通信手段１９を介して携帯端末９の無線通信手段１２に返信する。
【００４０】
すると、携帯端末９の制御部１３は、電子機器６から返信された置き忘れ確認ＩＤと、自らのメモリ１７内に保有する置き忘れ確認ＩＤと照合し、その照合が合致すると、図４に示すメールをメール送信手段１５から携帯端末１０に対して図４に示すメールを返信するのである。
【００４１】
そして、この携帯端末１０の表示部２２に表示された図４に示すメールを確認することで、携帯端末９を車内２に置き忘れたことを確認することが出来るのである。
【００４２】
また、このような問い合わせにも関らず、電子機器６からの置き忘れ確認ＩＤをタイマー時間内に携帯端末９が受信できないときには、制御部１３はそのメール送信手段１５から、携帯端末１０に対して図５に示すメールを返信することになる。
【００４３】
そして、この携帯端末１０の表示部２２に表示された図５に示すメールを確認することで、携帯端末９は車内２に置き忘れたのではないと言うことを確認することが出来るのである。
【００４４】
すると、このときには、次に置き忘れた可能性のある場所へのメールを携帯端末１０は行うことになる。
【００４５】
例えば、この携帯端末１０のメモリ（携帯端末９のメモリ１７と同じもの）には、自動車１の電子機器６の置き忘れ確認ＩＤだけでなく、例えばバスや電車やタクシーや職場の電子機器の置き忘れ確認ＩＤが格納されているので、次々にそれらからの返信が有るか、否かの操作が行われるのである。
【００４６】
なお、バスや電車やタクシーや職場の電子機器には、それぞれ置き忘れ確認ＩＤを表出状態で表示していることが好ましく、それをカメラで撮影することで、メモリ１７内に簡単に格納できるようにする。
【産業上の利用可能性】
【００４７】
以上のように本発明は、探そうとする携帯端末に、例えば他の携帯端末から第１のメモリ内に格納された置き忘れ確認ＩＤ付の置忘れ確認メールを送信すると、それをメール受信手段が受信し、次に、第１の無線通信手段により、前記置き忘れ確認ＩＤに関連付けた電子機器との交信を行い、その後、この電子機器との交信結果を、前記メール送信手段により、上記他の携帯端末に返信する構成としたので、探している携帯端末が、何れの電子機器、つまりどこに置き忘れたのかが確認できることとなり、携帯端末を探しやすく、使い勝手が向上するのである。
【００４８】
したがって、携帯端末と、それと交信する電子機器と、この電子機器を搭載した移動装置としての活用が期待されるものとなる。
【符号の説明】
【００４９】
１  自動車
２  車内
３  運転席
４  助手席
５  ハンドル
６  電子機器
７  バッテリー
８  電源コンセント
９  携帯端末
１０  携帯端末
１１  通信手段
１２  無線通信手段
１３  制御部
１４  メール受信手段
１５  メール送信手段
１６  タイマー
１７  メモリ
１８  表示部
１９  無線通信手段
２０  制御部
２１  メモリ
２２  表示部
【図１】
2014147004.tif 000003
【図２】
2014147004.tif 000004
【図３】
2014147004.tif 000005
【図４】
2014147004.tif 000006
【図５】
2014147004.tif 000007
【図６】
2014147004.tif 000008